(57)【要約】【課題】床衝撃音の遮断性能が良好で施工性を向上させることができる床構造を得る。【解決手段】デッキプレート３２上に上床材１４が支持されると共に、デッキプレート３２には、動吸振器３６の弾性部材４２が取付ボルト４０等を介して支持されている。このため、上床材１４に振動が加わった場合、この振動は、デッキプレート３２を介して動吸振器３６の弾性部材４２へ伝わる。これによって、動吸振器３６の弾性部材４２が弾性変形し、動吸振器３６において弾性部材４２に支持された質量体４４が振動を吸収するように上下動することで、上床材１４から床スラブ１２への振動が減衰される。【選択図】図２
2010180576.tif 000002
【特許請求の範囲】
【請求項１】
床スラブと、
前記床スラブ上に支持される複数の支持脚と、
前記支持脚上に渡されて支持される複数の大引と、
前記大引上に渡されて支持される床支持部材と、
前記床支持部材上に支持され、前記床スラブとの間に間隔をもって配置される床材と、
前記床支持部材に支持されて弾性変形可能な弾性部材、及び前記弾性部材に支持される質量体を含んで構成される動吸振器と、
を有する床構造。
【請求項２】
前記床支持部材には凹部が形成されており、前記凹部内に前記動吸振器が配置されている請求項１記載の床構造。
【発明の詳細な説明】
【技術分野】
【０００１】
本発明は、二重床とされた床構造に関する。
【背景技術】
【０００２】
床構造においては、例えば、床板（床材）の下に大引や根太等の鋼材が水平に渡された組床式の二重床構造が知られている（例えば、特許文献１参照）。このような二重床構造では、床衝撃音を吸収するために、例えば、床板にアスファルトシート（遮音シート）を敷設する場合がある。
【先行技術文献】
【特許文献】
【０００３】
【特許文献１】実開平８−４７５公報
【発明の概要】
【発明が解決しようとする課題】
【０００４】
しかしながら、この従来の床構造では、重いアスファルトシートを床全面に敷設することになり、施工性が悪い。
【０００５】
本発明は、上記事実を考慮して、床衝撃音の遮断性能が良好で施工性を向上させることができる床構造を得ることが目的である。
【課題を解決するための手段】
【０００６】
請求項１に記載する本発明の床構造は、床スラブと、前記床スラブ上に支持される複数の支持脚と、前記支持脚上に渡されて支持される複数の大引と、前記大引上に渡されて支持される床支持部材と、前記床支持部材上に支持され、前記床スラブとの間に間隔をもって配置される床材と、前記床支持部材に支持されて弾性変形可能な弾性部材、及び前記弾性部材に支持される質量体を含んで構成される動吸振器と、を有する。
【０００７】
請求項１に記載する本発明の床構造によれば、床支持部材上に床材が支持されると共に、床支持部材には、動吸振器の弾性部材が支持されている。このため、床材に振動が加わった場合、この振動は、床支持部材を介して動吸振器の弾性部材へ伝わる。これによって、動吸振器の弾性部材が弾性変形し、動吸振器において弾性部材に支持された質量体が振動を吸収するように上下動することで、床材から床スラブへの振動が減衰される。床支持部材は、複数の大引及び複数の支持脚を介して床スラブ上に支持されているので、減衰された振動は、床支持部材から大引及び支持脚を介して床スラブへ伝わる。
【０００８】
請求項２に記載する本発明の床構造は、請求項１記載の構成において、前記床支持部材には凹部が形成されており、前記凹部内に前記動吸振器が配置されている。
【０００９】
請求項２に記載する本発明の床構造によれば、床支持部材には凹部が形成されており、凹部内に動吸振器が配置されているので、床支持部材よりも下方側のスペースが動吸振器の設置以外の用途に有効に利用される。また、施工時には床支持部材よりも下方側に配置される部材に動吸振器が干渉することもないので、施工性も良い。
【発明の効果】
【００１０】
以上説明したように、本発明の床構造によれば、床衝撃音の遮断性能が良好で施工性を向上させることができるという優れた効果を有する。
【図面の簡単な説明】
【００１１】
【図１】本発明の第１の実施形態に係る床構造を示す斜視図である（上床材を透視した状態で示す。）。
【図２】本発明の第１の実施形態に係る床構造を示す縦断面図である。
【図３】本発明の第２の実施形態に係る床構造を示す斜視図である（上床材を透視した状態で示す。）。
【図４】本発明の第２の実施形態に係る床構造を示す縦断面図である。
【図５】本発明の第３の実施形態に係る床構造における動吸振器の取付状態を示す縦断面図である。
【発明を実施するための形態】
【００１２】
［第１実施形態］
本発明における床構造の第１の実施形態を図面に基づき説明する。なお、図中の矢印ＵＰは床構造における上方向を示す。
【００１３】
図１には、床構造１０が上床材１４を透視した状態の斜視図で示されている。図１に示される床構造１０は、組床式の二重床の構造とされており、例えば、体育館等に適用することができる。
【００１４】
図１に示されるように、床構造１０は、躯体床となるコンクリート製の床スラブ１２と上床材１４との間に、床支持構造１０Ａ（床下地構造部）を介在させている。床支持構造１０Ａが介在されることによって床スラブ１２と上床材１４との間に空間が形成されている。
【００１５】
床支持構造１０Ａは、床スラブ１２上に支持される複数の支持脚１６を備えている。支持脚１６の下部は、金属製（本実施形態では、鋼製）の支持台１８によって構成されており、この支持台１８は、床スラブ１２側が開放された正面視で略ハット形状とされている。なお、本実施形態では、支持脚１６の下部が支持台１８で構成されているが、支持脚１６の下部は、柱状の束（束柱）によって構成されていてもよい。支持台１８の一対のフランジ部１８Ａは、床スラブ１２上に配置されて固定手段によって床スラブ１２に固定されている。また、支持台１８の頂壁部１８Ｂは、調整ボルト２０によって貫通されている。
【００１６】
調整ボルト２０は、支持台１８の頂壁部１８Ｂに接する調整ナット２２によって螺合されており、直立した状態で支持台１８に支持されている。調整ボルト２０の軸線方向における一端側となる上端部は、調整ナット２４（図２参照）によって螺合されると共に、大引受け金具２６に連結されている。
【００１７】
大引受け金具２６は、一対の側壁２６Ａが互いに対向する溝状（チャンネル状）に形成されている。大引受け金具２６の内側における底部２６Ｂ側には、緩衝材２８（広義には「弾性体」として把握される要素である。）が固着されている。緩衝材２８は、ゴム製とされて弾性変形可能であり、振動を減衰させるようになっている。
【００１８】
以上説明した支持台１８、調整ボルト２０、調整ナット２２、２４（図２参照）、大引受け金具２６、及び緩衝材２８を含んで支持脚１６は構成されている。
【００１９】
大引受け金具２６の内側において、緩衝材２８上には、金属製（本実施形態では、鋼製）の大引３０（広義には「ビーム材」として把握される要素である。）が配置されている。大引３０は、矩形閉断面を備えた角筒状とされ、複数の支持脚１６上に水平方向（床スラブ１２に平行な方向）に渡されている。また、支持脚１６上に支持される複数の大引３０は、所定間隔を開けて互いに平行に配置されている。
【００２０】
大引３０上には、床支持部材としてのデッキプレート３２が渡されて支持されている。デッキプレート３２は、金属板（本実施形態では、鋼板）がプレス加工により略矩形の波板状に形成されたものであり、頂部３２Ａと底部３２Ｂとが大引３０の延在方向に交互に配列されている。頂部３２Ａ及び底部３２Ｂは、いずれも平坦状に形成され、傾斜壁状の側部３２Ｃを介して繋がっている。また、頂部３２Ａ及び底部３２Ｂの延在方向は、大引３０の延在方向に対して交差（直交）している。
【００２１】
デッキプレート３２の底部３２Ｂにおける所定部位は、ねじ等の固定手段で大引３０に固定されている。これに対して、デッキプレート３２の頂部３２Ａにおける所定部位は、ねじ等の固定手段で上床材１４に固定されている。
【００２２】
上床材１４は、デッキプレート３２上に支持され、床スラブ１２との間に間隔をもって配置されている。この上床材１４は、合板の捨て板１４Ａを備えると共に、捨て板１４Ａ上に床仕上げ材であるフローリング１４Ｂ（単層フローリング又は複合フローリング）を設けた積層構造となっている。
【００２３】
一方、図２に示されるように、デッキプレート３２には、底部３２Ｂ及び側部３２Ｃにより、上床材１４側へ向けて開口した凹部３４が形成されており、この凹部３４内には、複数の動吸振器３６（「ダイナミックダンパデバイス」、「制振ダンパ」等ともいう。）が配置されている。動吸振器３６は、後述する弾性部材４２及び質量体４４を含んで構成されている。
【００２４】
図２の部分拡大図に示されるように、デッキプレート３２の底部３２Ｂ上には、動吸振器３６の取付用として取付板３８が配置されている。取付板３８は、デッキプレート３２の底部３２Ｂ及び大引３０の頂部３０Ａにねじ３９等の固定手段によって固定されている。取付板３８の中央部には、取付ボルト４０の軸線方向一端部（下端部）が固定されている。
【００２５】
取付ボルト４０の軸線方向中間部には取付ボルト４０と同軸的にフランジ状の受け座４１が一体に固定されている。受け座４１上には、取付ボルト４０の外周側に配設された弾性部材４２が固着されている。これにより、弾性部材４２は、受け座４１、取付ボルト４０及び取付板３８を介してデッキプレート３２に支持されている。また、弾性部材４２は、ゴム製等とされて弾性変形可能であって振動を減衰させるようになっている。
【００２６】
弾性部材４２上には、取付ボルト４０によって貫通された受け座４３が配置されており、受け座４３上には、質量体４４が配置されている。すなわち、質量体４４は、受け座４３を介して弾性部材４２に支持されている。この質量体４４は、金属製（本実施形態では、鋼製）とされ、取付板３８側が開口された有底略円筒状とされている。質量体４４の上部には、取付ボルト４０の軸線方向他端部（上端部）が軸線方向に相対移動可能に挿入されている。また、質量体４４の凹部の内側には既述した弾性部材４２が配設されている。これらによって、質量体４４は、弾性部材４２の弾性変形によって変位して振動を減衰させるようになっている。
【００２７】
以上のように配置された動吸振器３６は、デッキプレート３２の凹部３４内に隠れるように配置されることになる。動吸振器３６の設置数は、床衝撃音の遮断性能の必要とされる改善量に応じて設定する。換言すれば、動吸振器３６の設置数を増やすことによって床衝撃音の遮断性能の改善量がコントロール可能な構成になっている。
【００２８】
（施工手順）
次に、図１に示される二重床の床構造１０を構成する際の施工手順について説明する。
【００２９】
まず、複数の支持脚１６を床スラブ１２上に固定する。次に、複数の支持脚１６上に大引３０を架け渡すように配置すると共に、支持脚１６の調整ボルト２０及び調整ナット２２によって大引受け金具２６の高さ位置を調整する。
【００３０】
次に、動吸振器３６が予め固定されたデッキプレート３２を大引３０上に配置する。なお、動吸振器３６は、デッキプレート３２のすべての底部３２Ｂの列に予め固定（設置）しておいてもよいし、任意の底部３２Ｂの列に予め固定（設置）しておいてもよい。デッキプレート３２は、大引３０の延在方向に対して、頂部３２Ａ及び底部３２Ｂの延在方向が直交するように配置する。また、図示を省略するが、隣り合うデッキプレート３２の端部同士は、重ね合わせて配置する。
【００３１】
次に、デッキプレート３２の底部３２Ｂを大引３０の頂部３０Ａ上に固定する。そして、デッキプレート３２の頂部３２Ａ上に捨て板１４Ａを敷設してデッキプレート３２に捨て板１４Ａを固定し、最後に、捨て板１４Ａ上にフローリング１４Ｂを敷設する。以上によって、二重床の床構造１０が構成される。
【００３２】
なお、本実施形態では、動吸振器３６をデッキプレート３２に予め固定しておくことで、現場での取付け工数を低減しているが、例えば、デッキプレート３２を大引３０上に配置してから動吸振器３６をデッキプレート３２に固定してもよい。
【００３３】
（作用・効果）
次に、上記実施形態の作用及び効果について説明する。
【００３４】
図２に示されるように、本実施形態に係る床構造１０では、デッキプレート３２上に上床材１４が支持されると共に、デッキプレート３２には、動吸振器３６の弾性部材４２が取付ボルト４０等を介して支持されている。このため、上床材１４に振動が加わった場合、この振動は、デッキプレート３２等を介して動吸振器３６の弾性部材４２へ伝わる。これによって、動吸振器３６の弾性部材４２が弾性変形し、動吸振器３６において弾性部材４２に支持された質量体４４が振動を吸収するように上下動することで、上床材１４から床スラブ１２への振動が減衰される。デッキプレート３２は、複数の大引３０及び複数の支持脚１６を介して床スラブ１２上に支持されているので、減衰された振動は、デッキプレート３２から大引３０及び支持脚１６を介して床スラブ１２へ伝わる。
【００３５】
ここで、対比構造と比較しながら補足説明すると、例えば、床衝撃音の遮断性能を確保するために、上床材にアスファルトシートを敷設するような対比構造では、重いアスファルトシートを床全面に敷設することになるので、施工性が悪く、かつ大幅なコストアップを招くことになる。また、重量が増加することで、建物の耐力の点でも負担が増す。これに対して、本実施形態に係る床構造１０では、重いアスファルトシートを床全面に敷設する必要がないので、これらの問題点を解消することができ、軽量化と施工性の向上が実現される。
【００３６】
また、動吸振器３６は、デッキプレート３２の凹部３４内に配置されているので、デッキプレート３２よりも下方側のスペースが動吸振器３６の設置以外の用途に有効に利用される。また、施工時にはデッキプレート３２よりも下方側に配置される床下の構造物（特に換気用のダクト等）に動吸振器３６が干渉することもない（又は干渉を容易に回避できる）ので、施工性も良い。
【００３７】
以上説明したように、本実施形態に係る床構造１０によれば、床衝撃音の遮断性能が良好で施工性を向上させることができる。
【００３８】
［第２実施形態］
次に、本発明の第２の実施形態に係る床構造５０について、図３及び図４を用いて説明する。図３には、本発明の第２の実施形態に係る床構造５０が上床材１４を透視した状態の斜視図にて示されており、図４には、床構造５０が縦断面図にて示されている。
【００３９】
これらの図に示されるように、床構造５０は、デッキプレート３２（図１参照）に代えて、床支持部材としての根太５２（広義には「ビーム材」として把握される要素である。）を備え、この根太５２に補強材５４を介して動吸振器５６が吊り下げられている点で、第１の実施形態に係る床構造１０（図１参照）とは異なる。他の構成は、第１の実施形態とほぼ同様の構成となっている。よって、第１の実施形態と実質的に同様の構成部については、同一符号を付して説明を省略する。なお、本実施形態では、床スラブ１２と上床材１４との間に介在された床支持構造５０Ａ（床下地構造部）が支持脚１６、大引３０及び根太５２を含んで構成されている。
【００４０】
図３に示されるように、大引３０上には、複数の根太５２が渡されて支持されている。根太５２の延在方向は、大引３０の延在方向に対して、交差（直交）している。根太５２は、金属製（本実施形態では、鋼製）とされて断面形状が略ハット状とされ、上床材１４を支持する頂部５２Ａと、頂部５２Ａの延在方向に直交する方向の両端部から垂下された側部５２Ｂ、５２Ｃと、これらの側部５２Ｂ、５２Ｃから互いに離反する方向に延設されたフランジ部５２Ｄ、５２Ｅと、を含んで構成されており、フランジ部５２Ｄ、５２Ｅが大引３０に固定されている。これらの根太５２上には、上床材１４が支持されている。これによって、上床材１４は、床スラブ１２との間に間隔をもって配置されている。
【００４１】
一方、互いに隣り合う大引３０同士の間には、根太５２のフランジ部５２Ｄ、５２Ｅの下面側に補強材５４がねじ５５（図４参照）等の固定手段によって固定されている。補強材５４は、矩形閉断面を備えた角筒状とされ、根太５２に対して交差（直交）して渡されている。なお、本実施形態では、補強材５４が根太５２に渡されているが、補強材５４は、根太５２に渡されずに根太５２毎に別個に固定される構成としてもよい。
【００４２】
図４に示されるように、補強材５４の下面には、動吸振器５６の取付用として取付板５８が配置されている。動吸振器５６は、後述する弾性部材６４及び質量体６６を含んで構成されて複数設置され、取付板５８は、補強材５４の底部５４Ａにねじ５９等の固定手段によって固定されている。取付板５８の中央部には、取付ボルト６０の軸線方向一端部（上端部）が固定されている。
【００４３】
取付ボルト６０の軸線方向他端部（下端部）には、ナット６２が螺合されており、ナット６２の上面には、受け座６３が一体に固定されている。この受け座６３は、取付ボルト６０によって貫通されている。受け座６３上には、取付ボルト６０の外周側に配設された弾性部材６４が固着されている。これにより、弾性部材６４は、受け座６３、取付ボルト６０、取付板５８及び補強材５４等を介して根太５２に支持されている。また、弾性部材６４は、ゴム製等とされて弾性変形可能であって振動を減衰させるようになっている。
【００４４】
弾性部材６４上には、取付ボルト６０によって貫通された受け座６５が配置されており、受け座６５上には、質量体６６が配置されている。すなわち、質量体６６は、受け座６５を介して弾性部材６４に支持されている。この質量体６６は、金属製（本実施形態では、鋼製）とされ、下方側が開口された有底略円筒状とされている。質量体６６の上部は、取付ボルト６０の軸線方向の中間部によって貫通されている。また、質量体６６の凹部の内側には既述した弾性部材６４が配設されている。これらによって、質量体６６は、弾性部材６４の弾性変形によって変位して振動を減衰させるようになっている。
【００４５】
次に、図３に示される二重床の床構造５０を構成する際の施工手順について説明する。なお、大引３０を配置して高さ位置を調整するまでは第１の実施形態と同様であるので、説明を省略する。
【００４６】
大引３０が所定位置に配置された後、大引３０の延在方向に対して、根太５２の延在方向が直交するように、大引３０上に根太５２を配置して固定する。次に、複数の動吸振器５６が予め一体化された補強材５４を根太５２に固定する。
【００４７】
次に、根太５２上に捨て板１４Ａを敷設し、最後に、捨て板１４Ａ上にフローリング１４Ｂを敷設する。以上によって、二重床の床構造５０が構成される。
【００４８】
このように、本実施形態では、補強材５４を根太５２に予め固定しておくことによって、複数の動吸振器５６を同時に根太５２に取り付けることができるので、現場での施工性が良い。
【００４９】
また、本実施形態の構成によっても、前述した第１の実施形態とほぼ同様の作用が得られて床衝撃音の遮断性能が良好になり、施工性も向上させることができる。
【００５０】
［第３実施形態］
次に、本発明の第３の実施形態に係る床構造について、図５を用いて説明する。図５には、本発明の第３の実施形態に係る床構造における動吸振器７２の取付状態が断面図にて示されている。
【００５１】
この図に示されるように、本実施形態に係る床構造は、補強材５４（図４参照）に代えて、Ｌ型鋼７０を介して動吸振器７２が根太５２に吊り下げられている点で、第２の実施形態に係る床構造５０（図４参照）とは異なる。他の構成は、第２の実施形態とほぼ同様の構成となっている。よって、第１、第２の実施形態と実質的に同様の構成部については、同一符号を付して説明を省略する。
【００５２】
図５に示されるように、根太５２の側部５２Ｂには、Ｌ型鋼７０の上部７０Ａがねじ７１等の固定手段によって固定されている。Ｌ型鋼７０は、長尺状の鋼板をプレス加工により縦断面視で略Ｌ字状に形成したものであり、根太５２の延在方向に沿って配設されている。
【００５３】
このＬ型鋼７０にて略水平に配置される下板部７０Ｂ上には、複数の動吸振器７２が配置されている。動吸振器７２は、後述する弾性部材８０及び質量体８２を含んで構成されている。また、下板部７０Ｂの中央部は、動吸振器７２の取付用とされた取付ボルト７４によって貫通されている。
【００５４】
取付ボルト７４の軸線方向一端部（下端部）には、ナット７６が螺合されており、ナット７６の上面には、受け座７７が一体に固定されている。この受け座７７は、取付ボルト７４によって貫通されており、Ｌ型鋼７０の下板部７０Ｂの下方側に配置されている。これに対して、Ｌ型鋼７０の下板部７０Ｂの上方側には、受け座７８が配置されている。受け座７８は、取付ボルト７４の軸線方向の中間部に一体に固定されており、取付ボルト７４に対して同軸的に配置されている。
【００５５】
受け座７８上には、取付ボルト７４の外周側に配設された弾性部材８０が固着されている。これらにより、弾性部材８０は、Ｌ型鋼７０の下板部７０Ｂに固定されると共に、受け座７８及びＬ型鋼７０等を介して根太５２に支持されている。また、弾性部材８０は、ゴム製等とされて弾性変形可能であって振動を減衰させるようになっている。
【００５６】
弾性部材８０上には、取付ボルト７４によって貫通された受け座８１が配置されており、受け座８１上には、質量体８２が配置されている。すなわち、質量体８２は、受け座８１を介して弾性部材８０に支持されている。質量体８２は、金属製（本実施形態では、鋼製）とされ、その下部には、取付ボルト７４の軸線方向他端部（上端部）が相対移動可能に挿入されている。これらによって、質量体８２は、弾性部材８０の弾性変形によって変位して振動を減衰させるようになっている。
【００５７】
なお、本実施形態では、図５に示されるように、根太５２の下方側に動吸振器７２が配設されているが、根太５２にて頂部５２Ａと側部５２Ｂ、５２Ｃとによって形成された凹部５３内に、動吸振器７２の一部又は全部が入り込んで配置されてもよい。
【００５８】
本実施形態に係る床構造を構成する際の施工手順は、第２の実施形態における施工手順とほぼ同様である。より具体的には、第２の実施形態の工程のうち、複数の動吸振器５６（図３参照）が予め一体化された補強材５４（図３参照）を根太５２に固定する工程に代えて、複数の動吸振器７２が予め一体化されたＬ型鋼７０を根太５２に固定する工程が行われる点を除き、第２の実施形態と同様である。
【００５９】
以上説明した本実施形態の構成によっても、前述した第２の実施形態とほぼ同様の作用及び効果が得られる。
【００６０】
［実施形態の補足説明］
なお、上記実施形態では、弾性部材４２、６４、８０がゴム製である場合を例に挙げて説明したが、弾性部材は、例えば、圧縮コイルバネ等のような弾性変形可能な他の弾性部材であってもよい。
【００６１】
また、上記第１の実施形態では、動吸振器３６がデッキプレート３２及び大引３０に取り付けられているが、動吸振器は、デッキプレート（床支持部材）のみに取り付けられてもよい。
【００６２】
また、第２、第３の実施形態では、動吸振器５６、７２が他部材（補強材５４やＬ型鋼７０等）を介して根太５２に取り付けられているが、動吸振器は、根太（床支持部材）に直接取り付けられてもよい。
【符号の説明】
【００６３】
１０    床構造
１２    床スラブ
１４    上床材（床材）
１６    支持脚
３０    大引
３２    デッキプレート（床支持部材）
３４    凹部
３６    動吸振器
４２    弾性部材
４４    質量体
５０    床構造
５２    根太（床支持部材）
５６    動吸振器
６４    弾性部材
６６    質量体
７２    動吸振器
８０    弾性部材
８２    質量体
【図１】
2010180576.tif 000003
【図２】
2010180576.tif 000004
【図３】
2010180576.tif 000005
【図４】
2010180576.tif 000006
【図５】
2010180576.tif 000007